(57)【要約】【課題】時間遅れを回避し画質を改善する映像記録再生装置を提供する。【解決手段】入力部１を介して映像情報を入力し順次にＨＤＤ１０に記録し蓄積する記録系と、再生のためにＨＤＤ１０から入力順に情報を読出し出力部２を介して画像を出力する再生系とを備える。記録系では、入力した映像情報はＨＤＤ１０に比べ高速書込・読出可能なバッファ４に順次記録されて一時的に格納された後、入力順に読出されて処理されてＨＤＤ１０に書込まれる。ライブ再生時においてＣＰＵ１１は再生すべき情報はバッファ４に記録されていると判定するときは、ＡＶＳＷ３を切換えてＨＤＤ１０に代替してバッファ４から該情報を読出して出力部２に与えるよう制御する。このように再生情報はＨＤＤ１０を経由せずにバッファ４から読出されるから再生画像は入力されるそれにリアルタイムに追従した内容となり、該経由で生じる情報の質低下も回避できる。【選択図】        図１
2004220638.tif 000002
【特許請求の範囲】
【請求項１】
受信する生放送に基づいた少なくとも映像を含む情報を入力し記録部に記録して蓄積する記録系と、再生のために前記記録部から入力順に前記情報を読出す再生系とを備える映像記録再生装置であって、
前記記録系は、入力された前記情報が前記記録部に先だって一時的に記録されて、記録された前記情報が前記記録部への記録のために読出される一時記録手段を有し、
前記再生系では、再生されるべき前記情報が前記一時記録手段に記録されているときは、再生のための前記情報は前記記録部に代替して前記一時記録部から読出される情報であり、
前記再生系は、
前記一時記録手段から読出された前記情報および前記記録部から読出された前記情報のうちの一方を、再生のための前記情報として選択して出力する切換え手段と、
再生されるべき前記情報が前記一時記録手段および前記記録部のいずれに記録されているか判定する判定手段とを有し、
前記切換え手段は、前記判定手段により再生されるべき前記情報が前記一時記録手段に記録されていると判定されたときは、前記一時記録手段から読出された前記情報を選択して出力し、再生されるべき前記情報が前記記録部に記録されていると判定されたときは、前記一時記録手段から読出された前記情報を選択して出力し、
前記判定手段は、
再生されるべき前記情報と入力される前記情報との時差がないときは、再生されるべき前記情報は前記一時記録手段に記録されていると判定し、再生されるべき前記情報と入力される前記情報とに所定時差以上あるときは再生されるべき前記情報は前記記録部に記録されていると判定し、所定時差未満であるときは再生されるべき前記情報は前記一時記録手段に記録されていると判定し、
前記所定時差は、前記一時記録手段において前記情報が一時記録されている期間に対応し、または前記一時記録手段の記録容量は前記所定時差に相当する前記情報の容量に相当し、
前記再生系は再生を一時停止した後に、一時停止を解除して再生を再開する手段をさらに有し、前記所定時差は前記一時停止の時間に対応し、
前記再生系は再生に関して巻き戻し動作をした後に、巻き戻し動作を解除して再生を再開する手段をさらに有し、前記所定時差は巻き戻された情報の時間に対応することを特徴とする、映像記録再生装置。
【請求項２】
少なくとも映像を含む情報を入力し記録部に記録して蓄積する記録系と、再生のために前記記録部から入力順に前記情報を読出す再生系とを備える映像記録再生装置であって、
前記記録系は、入力された前記情報を前記記録部に先だって一時的に記録し、記録された前記情報が前記記録部への記録のために読出される一時記録手段を有し、
前記再生系では、再生されるべき前記情報が前記一時記録手段に記録されているときは、再生のための前記情報は前記記録部に代替して前記一時記録部から読出される情報であることを特徴とする、映像記録再生装置。
【請求項３】
前記再生系は、
前記一時記録手段から読出された前記情報および前記記録部から読出された前記情報のうちの一方を、再生のための前記情報として選択して出力する切換え手段と、
再生されるべき前記情報が前記一時記録手段および前記記録部のいずれに記録されているか判定する判定手段とを有し、
前記切換え手段は、前記判定手段により再生されるべき前記情報が前記一時記録手段に記録されていると判定されたときは、前記一時記録手段から読出された前記情報を選択して出力し、再生されるべき前記情報が前記記録部に記録されていると判定されたときは、前記一時記録手段から読出された前記情報を選択して出力することを特徴とする、請求項２に記載の映像記録再生装置。
【請求項４】
前記判定手段は、再生されるべき前記情報と入力される前記情報との時差がないときは、再生されるべき前記情報は前記一時記録手段に記録されていると判定することを特徴とする、請求項２に記載の映像記録再生装置。
【請求項５】
前記判定手段は、再生されるべき前記情報と入力される前記情報とに所定時差以上あるときは再生されるべき前記情報は前記記録部に記録されていると判定し、所定時差未満であるときは再生されるべき前記情報は前記一時記録手段に記録されていると判定することを特徴とする、請求項３または４に記載の映像記録再生装置。
【請求項６】
前記所定時差は、前記一時記録手段において前記情報が一時記録されている期間に対応することを特徴とする、請求項５に記載の映像記録再生装置。
【請求項７】
前記一時記録手段の記録容量は前記所定時差に相当する前記情報の容量に相当することを特徴とする、請求項５または６に記載の映像記録再生装置。
【請求項８】
前記再生系は再生を一時停止した後に、一時停止を解除して再生を再開する手段をさらに有し、
前記所定時差は前記一時停止の時間に対応することを特徴とする、請求項５から７のいずれか１項に記載の映像記録再生装置。
【請求項９】
前記再生系は再生に関して巻き戻し動作をした後に、巻き戻し動作を解除して再生を再開する手段さらに有し、
前記所定時差は巻き戻された情報の時間に対応することを特徴とする、請求項５から８のいずれか１項に記載の映像記録再生装置。
【請求項１０】
入力される前記映像を含む情報は、受信する生放送に基づく情報であることを特徴とする、請求項２から９のいずれか１項に記載の映像記録再生装置。
【発明の詳細な説明】
【０００１】
【発明の属する技術分野】
この発明は映像を含む情報を記録し、記録された情報を再生する映像記録再生装置に関し、特に、記録部を介して映像情報を記録し再生する映像記録再生装置に関する。
【０００２】
【従来の技術】
近年、テレビジョン放送において、受信した放送信号をデジタル情報に変換して、ハードディスクなどのランダムアクセス可能な記録部に記録しながら、記録と並行して記録内容を読出して、読出した内容である放送信号による映像をテレビジョン受像機などの出力部を介して画像出力する、いわゆるタイムシフト処理機能を有する映像記録再生装置が提供されている（特許文献１、２および３の明細書および図面を参照）。
【０００３】
【特許文献１】
特開２００２−５１２９０公報
【０００４】
【特許文献２】
特開平１０−２０８３９２号公報
【０００５】
【特許文献３】
特開２００２−１７０３１９公報
【０００６】
【発明が解決しようとする課題】
しかしながら、上述した従来の映像記録再生装置では、電源ＯＮした時点で受信した放送信号に基づく映像情報の記録部への記録と視聴のための記録部からの読出（再生）とが開始されるので視聴される映像は、受信した放送信号から直接に得られた映像ではなくて、受信して一旦記録部に記録されて、その後に再生された映像である。したがって、視聴している映像は放送信号から直接に得られた映像よりも時間（例えば、約３秒）遅れを有した内容になり、記録部への記録および再生のための信号処理も伴うので画像の劣化も避けられない。
【０００７】
それゆえにこの発明の目的は、映像の時間遅れおよび画質の低下を抑制できる映像記録再生装置を提供することである。
【０００８】
【課題を解決するための手段】
この発明のある局面に従うと、受信する生放送に基づいた少なくとも映像を含む情報を入力し記録部に記録して蓄積する記録系と、再生のために記録部から入力順に情報を読出す再生系とを備える映像記録再生装置においては、記録系は、入力された情報を記録部に先だって一時的に記録されて、記録された情報が記録部への記録のために読出される一時記録手段を有する。
【０００９】
そして、再生系では、再生されるべき情報が一時記録手段に記録されているときは、再生のための情報は記録部に代替して一時記録部から読出される情報である。
【００１０】
再生系は、一時記録手段から読出された情報および記録部から読出された情報のうちの一方を、再生のための情報として選択して出力する切換え手段と、再生されるべき情報が一時記録手段および記録部のいずれに記録されているか判定する判定手段とを有し、切換え手段は、判定手段により再生されるべき情報が一時記録手段に記録されていると判定されたときは、一時記録手段から読出された情報を選択して出力し、再生されるべき情報が記録部に記録されていると判定されたときは、一時記録手段から読出された情報を選択して出力する。
【００１１】
判定手段は、再生されるべき情報と入力される情報との時差がないときは、再生されるべき情報は一時記録手段に記録されていると判定し、再生されるべき情報と入力される情報とに所定時差以上あるときは再生されるべき情報は記録部に記録されていると判定し、所定時差未満であるときは再生されるべき情報は一時記録手段に記録されていると判定する。
【００１２】
この所定時差は一時記録手段において情報が一時記録されている期間に対応し、または一時記録手段の記録容量は所定時差に相当する情報の容量に相当する。
【００１３】
そして、再生系は再生を一時停止した後に、一時停止を解除して再生を再開する手段をさらに有し、所定時差は一時停止の時間に対応し、再生系は再生に関して巻き戻し動作をした後に、巻き戻し動作を解除して再生を再開する手段をさらに有し、所定時差は巻き戻された情報の時間に対応する。
【００１４】
この発明の他の局面に従うと、少なくとも映像を含む情報を入力し順次に記録部に記録して蓄積する記録系と、再生のために記録部から入力順に情報を読出す再生系とを備える映像記録再生装置においては、記録系は、入力された情報を記録部に先だって一時的に順次記録し、記録された情報を記録部への記録のために入力順に読出す一時記録手段を有する。そして、再生系では、再生されるべき情報が一時記録手段に記録されているときは、再生のための情報は記録部に代替して一時記録部から読出される情報である。
【００１５】
したがって上述の映像記録再生装置によれば、記録系では少なくとも映像を含む情報が入力されると、一時記録手段に一時的に記録された後に読出されて、読出された情報は記録部に記録されて蓄積され、再生系では再生されるべき情報が一時記録手段に記録されるているときは記録部ではなく一時記録手段から情報が読出されて再生に供される。
【００１６】
それゆえに、再生系において再生されるべき情報が一時記録手段に記録されていれば記録部ではなくて一時記録手段から読出されるから、すなわち一時記録手段のみを経由して読出されるから、入力する情報を記録部に記録しながら再生される情報と入力情報との時間遅れを抑制できる。また、記録部を経由しないから経由する過程で生じる情報量の損失、ノイズの混入を回避できて良質の再生画像などを得ることができる。
【００１７】
上述の映像記録再生装置の再生系は好ましくは、一時記録手段から読出された情報および記録部から読出された情報のうちの一方を、再生のための情報として選択して出力する切換え手段と、再生されるべき情報が一時記録手段および記録部のいずれに記録されているか判定する判定手段とを有する。
【００１８】
そして、切換え手段は、判定手段により再生されるべき情報が一時記録手段に記録されていると判定されたときは、一時記録手段から読出された情報を選択して出力し、再生されるべき情報が記録部に記録されていると判定されたときは、一時記録手段から読出された情報を選択して出力する。
【００１９】
したがって、再生系において再生すべき情報が一時記録手段にまだ記録されているか、および一時記録手段から読出されて記録部に記録されているかを判定して、判定結果に従い切換え手段を切換えることにより、再生すべき情報として一時記録手段および記録部のいずれかから選択的に導出できる。
【００２０】
上述の映像記録再生装置の判定手段は好ましくは、再生されるべき情報と入力される情報との時差がないときは、再生されるべき情報は一時記録手段に記録されていると判定する。
【００２１】
したがって、判定手段は再生されるべき情報が一時記録手段に記録されていることを、再生されるべき情報と入力される情報との時差がないことにより判定できる。
【００２２】
上述の映像記録再生装置の判定手段は好ましくは、再生されるべき情報と入力される情報とに所定時差以上あるときは再生されるべき情報は記録部に記録されていると判定し、所定時差未満であるときは再生されるべき情報は一時記録手段に記録されていると判定する。
【００２３】
したがって、判定手段は再生されるべき情報が一時記録手段に記録されていることを、再生されるべき情報と入力される情報とに所定時差未満であることにより判定でき、再生されるべき情報が一時記録手段には記録されておらず記録部に記録済みであることを、再生されるべき情報と入力される情報とに所定時差以上あることにより判定できる。
【００２４】
上述の映像記録再生装置では所定時差は好ましくは、一時記録手段において情報が一時記録されている期間に対応する。したがって、一時記録手段に記録されてまだ残っている情報を再生されるべき情報とすることができる。
【００２５】
上述の映像記録再生装置では好ましくは一時記録手段の記録容量は、所定時差に相当する情報の容量に相当する。したがって、一時記録手段にまだ記録されていて残っている情報を再生されるべき情報とすることができる。
【００２６】
上述の映像記録再生装置の再生系は好ましくは再生を一時停止した後に、一時停止を解除して再生を再開する手段さらに有し、所定時差は一時停止の時間に対応する。
【００２７】
したがって、再生動作が一時停止して再生が再開されるときは、一時停止期間の長さに応じて、再生すべき情報をそれが記録されている一時記録手段および記録部のいずれかから選択的に読み出すことができる。
【００２８】
上述の映像記録再生装置の再生系は好ましくは再生に関して巻き戻し動作をした後に、巻き戻し動作を解除して再生を再開する手段さらに有し、所定時差は巻き戻された情報の時間に対応する。
【００２９】
したがって、再生に関して巻き戻し動作がなされた後に再生が再開されるときは、巻き戻された情報に対応の時間の長さに応じて、再生すべき情報をそれが記録されている一時記録手段および記録部のいずれかから選択的に読み出すことができる。
【００３０】
上述の入力される前記映像を含む情報は好ましくは、受信する生放送に基づく情報である。したがって、生放送を受信しながら得られる情報について上述の構成による特徴を得ることができる。
【００３１】
【発明の実施の形態】
以下、この発明の実施の形態について図面を参照しながら説明する。ここでは説明を簡単にするために記録再生されるべき情報として映像情報のみを取扱うが、映像情報と並行して入力できるたの種類の情報（例えば音声情報）なども映像情報と同様に並行して記録再生することができる。また記録再生されるべき情報はアンテナなどを介して受信するとしているが、外部装置から有線などにより受理される情報であるとしてもよく、記録すべき情報の取得経路は限定されない。
【００３２】
図１にはこの発明の実施の形態に係る映像記録再生装置の構成が示される。図２には、映像記録再生装置の動作を示すフローチャートが示される。
【００３３】
図１を参照して映像記録再生装置は図示されないアンテナなどを介して受信したアナログの映像信号のうち所望チャネルに対応の番組の映像情報を抽出して出力する入力部１、与えられるアナログの映像情報を入力して、図示されないテレビジョン受像機などのモニタに出力する出力部２、出力部２に与える情報についての切換機能を有するＡＶＳＷ（Ａｕｄｉｏ−Ｖｉｓｕａｌ  Ｓｗｉｔｃｈ）３、所定容量の情報、すなわち所定時間分の情報を格納可能であって与えられる映像情報を入力して順次一時的に格納すして入力順に出力するバッファ４および５、与えられるアナログの情報をデジタルの情報に変換するＡ／Ｄ（Ａｎａｌｏｇ−Ｄｉｇｉｔａｌ）変換回路６、与えられるデジタルの映像情報をアナログの情報に変換するＤ／Ａ（Ｄｉｇｉｔａｌ−Ａｎａｌｏｇ）変換回路７、与えられるデジタルの映像を所定手順でエンコード処理して出力するエンコーダ８、与えられるデジタルの映像情報を所定手順でデコード処理して出力するデコーダ９、エンコーダ８から与えられる映像情報を入力し、入力順に記録領域に書込んで蓄積（保存）し、記録領域に既に書込まれている映像情報を入力順に読出して出力するＨＤＤ（Ｈａｒｄ  Ｄｉｓｃ  Ｄｒｉｖｅｒ）１０、装置中の各部を集中的に制御および監視するＣＰＵ（Ｃｅｎｔｒａｌ  Ｐｒｏｃｅｓｓｉｎｇ  Ｕｎｉｔ）１１、ＣＰＵ１１の処理に関するプログラムおよびデータなどを格納するためのＲＯＭ（Ｒｅａｄ  Ｏｎｌｙ  Ｍｅｍｏｒｙ）１２およびＲＡＭ（Ｒａｎｄｏｍ  Ａｃｃｅｓｓ  Ｍｅｍｏｒｙ）１３、該装置に対して指示などの情報を与えるためにユーザなどにより操作されるリモコン（リモートコントローラの略）１４、リモコン１４から与えられる情報を入力してＣＰＵ１１に出力するリモコンＩ／Ｆ（Ｉｎｔｅｒｆａｃｅの略）１５を備える。
【００３４】
バッファ４と５は、ＨＤＤ１０に比較して、高速読出および高速書込可能メモリであって、読出と書込が時間的に交互に高速切換えされて行なわれている。
【００３５】
図１中の各部間に示す矢印の線はデータの流れを指し矢印なしの線はＣＰＵ１１と各部間の指令を含む情報の流れを指す。
【００３６】
図１の装置では電源ＯＮされて入力部１からアナログの映像情報が出力されると、出力部２に映像情報を導出するのに並行して、タイムシフト処理機能のために入力部１から出力された映像情報はＨＤＤ１０に書込まれる。この書込みは記録系でなされる。入力部１から入力した映像情報がＨＤＤ１０に書込まれて、その後に再生のために読出される動作は再生系でなされる。以下、これらの動作について説明する。
【００３７】
記録系では、入力部１により入力されて順次出力されたアナログの映像情報はＡＶＳＷ３を通過してバッファ４に入力順に書込まれて、一時格納された後に入力順に読出される。バッファ４の容量は所定容量に限られているので、所定容量分の、すなわち所定時間分の映像情報の書込が完了すると、書込まれた映像情報について入力（書込）順に従い読出がなされる。この読出の間にもバッファ４には逐次新たな映像情報の書込がなされる。この場合、新たな映像情報の書込は既に読出された映像情報に上書きされることによりなされるけれども、バッファ４には常に所定容量分（所定時間分）の映像情報が格納されていることになる。
【００３８】
バッファ４から逐次読出されるアナログの映像情報はＡ／Ｄ変換回路６でデジタルの映像情報に変換された後にエンコーダ８でエンコード処理され、ＨＤＤ１０の所定記憶領域に書込まれる。
【００３９】
再生系ではＨＤＤ１０に関して新たな映像情報の書込と交互に書込まれた映像情報についての読出が行なわれており、読出された映像情報はエンコーダ９に与えられて、ここでエンコード処理された後にＤ／Ａ変換回路７でアナログの映像情報に変換されてバッファ５に与えられて、バッファ５に書込まれて一時的に格納される。バッファ５も所定容量を有しており、出力部２に出力するための情報量が格納されると、格納された映像情報を書込み順に従い逐次読出す。バッファ５から読出されたアナログの映像情報はＡＶＳＷ３を介して出力部２に与えられて、ここで画像として出力される。以上が再生系である。
【００４０】
なお、バッファ４と５ならびにＨＤＤ１０に関するデータの書込と読出についてのアドレス指定を含む制御はＣＰＵ１１から与えられる指令に基づきなされる。
【００４１】
このように、入力部１から入力した生（ライブ）放送による生（ライブ）映像情報をバッファ４またはＨＤＤ１０の記録媒体に記録した後に、該記録媒体から読出して出力部２を介して出力（再生）することを本実施の形態ではライブ（ＬＩＶＥ）再生と呼ぶ。
【００４２】
本実施の形態では、ライブ再生を行なっている場合、所定の条件のもとでは、ＡＶＳＷ３の切換機能により、ＨＤＤ１０を経由しない映像情報を出力部２に導出する。これにより従来技術で説明した時間の遅れを防止できるから出力部２で提示される画像は入力部１で入力される映像情報の画像にリアルタイムに追従した内容となる。また、ＨＤＤ１０を経由する過程で生じる情報量の損失またはノイズ混入も回避できるから、良質の再生画像を提示できる。
【００４３】
映像記録再生装置では、ＨＤＤ１０に記録された映像情報を読出して出力部２に導出して画像出力できる（再生できる）ことから、ユーザはライブ再生動作の一時停止（ポーズ）操作、巻戻し操作およびこれらの解除操作をして直前の動作であるライブ再生に戻すための指示をリモコン１４を介して映像記録再生装置に対して与えることができる。指示のための信号はたとえば赤外線を用いて変調されてリモコンＩ／Ｆ１５を介して受信され、ＣＰＵ１１により解析されて該指示に基づく指令が各部に与えられる。
【００４４】
図１の映像記録再生装置では、出力部２へ映像情報を導出するための経路は図３（Ａ）〜（Ｃ）に示すように状態ＳＴ０、ＳＴ１およびＳＴ２で示される３種類の経路のうちのいずれかが設定される。図１に示すようにＡＶＳＷ３は入力部１から出力された映像情報、バッファ４から読出された映像情報およびＨＤＤ１０から読出されバッファ５から出力される映像情報を入力し、これら入力する映像情報のうちのいずれか１つを選択的に出力部２に導出するために、ＣＰＵ１１からの指令に従い入力映像情報に関しての切換えがなされる。したがってＡＶＳＷ３のＣＰＵ１０からの指令に従う切換えにより映像記録再生装置では状態ＳＴ０〜ＳＴ２のいずれかが選択的に設定される。
【００４５】
具体的には、映像情報記録再生装置に電源ＯＮされて、入力部１からアナログの映像情報が出力されている場合に、ＡＶＳＷ３が切換えられて状態ＳＴ０が設定されているときは、出力部２には図３（Ａ）に示すように入力部１から出力された映像情報がＡＶＳＷ３を介して与えられる。
【００４６】
また、同様に電源がＯＮされ、入力部１からアナログの映像情報が出力されている場合にＡＶＳＷ３が切換えられて状態ＳＴ１が設定されているときは、出力部２には図３（Ｂ）に示すように、入力部１から出力されてＡＶＳＷ３を介してバッファ４に書込まれて、その直後に読出される映像情報がＡＶＳＷ３を介して与えられる。
【００４７】
また、同様に電源ＯＮされて入力部１から映像情報が出力されている場合に、ＡＶＳＷ３が切換えられて状態ＳＴ２が設定されているとき出力部２には、図３（Ｃ）に示すように入力部１から出力されて、ＡＶＳＷ３→バッファ４→Ａ／Ｄ変換回路６→エンコーダ８→ＨＤＤ１０→デコーダ９→Ｄ／Ａ変換回路７→バッファ５→ＡＶＳＷ３を経由した映像情報が与えられる。
【００４８】
図４（Ａ）〜（Ｆ）に示されるタイミングチャートを参照して時間Ｔの経過に従うＡＶＳＷ３の切換に伴う状態切換について説明する。ここでは説明を簡単にするために映像情報はデータＤｉ（ｉ＝１、２、３、…、１１）単位で処理すると想定する。
【００４９】
図４（Ａ）に示すように時間Ｔの経過に従い入力部１を介してデータＤｉが順次入力されると、入力されたデータＤｉは図４（Ｂ）のようにバッファ４に書込まれて一時的に格納される。ここでバッファ４には所定容量分のデータＤｉ、データＤｉ＋１、およびデータＤｉ＋２だけを一時的に格納することができる。データＤｉはバッファ４に一時的に格納された後に、書込順（入力順）に従い読出されて図４（Ｃ）に示すようにＨＤＤ１０に書込まれる。ここではバッファ４にデータＤ３の書込開始がなされるとバッファ４からデータＤ１が読出されてＨＤＤ１０へ書込まれる。ＨＤＤ１０はバッファ４に比較し、書込および読出速度は低速なので、バッファ４にデータＤｉが１つ書込まれる間にＨＤＤ１０にはそれ以下の量のデータを書込むことができる。
【００５０】
今、ＨＤＤ１０にデータＤｉが書込まれると、書込まれたデータＤｉは図４（Ｄ）に示すように書込順（入力順）に従い読出されて、デコーダ９に与えられる。したがって、出力部２では、図４（Ｅ）に示すように、入力データＤｉ（図４（Ａ）参照）よりも、所定の時間遅れを有して該データＤｉが出力されることになる。
【００５１】
今、時間Ｔ０〜Ｔ１のあるタイミングにおいて、ライブ再生が開始されたとすると、図４（Ａ）の入力データＤ１〜Ｄ３はまだバッファ４に格納されているので、ＡＶＳＷ３は切換えられ状態ＳＴ１が設定されて（図４（Ｆ）参照）、出力部２にはバッファ４から読出されたデータＤｉが与えられる。
【００５２】
また、時間Ｔ１以降にライブ再生が開始されたとすると、図４（Ａ）の入力データＤ１はもはやバッファ４に格納されておらずＨＤＤ１０に書込まれているので、ＡＶＳＷ３は切換えられて状態ＳＴ２が設定されて（図４（Ｆ）参照）、出力部２には図４（Ｄ）に示すようにデータＤ１から順にデータＤｉがＨＤＤ１０より読出されて与えられる。
【００５３】
またライブ再生中の時間Ｔ０で一時停止が操作された後に時間Ｔ１までの間に一時停止が解除されてライブ再生に戻された場合には、一時停止中に入力したデータＤｉはバッファ４にまだ格納されているので、ＡＶＳＷ３は切換えられて状態ＳＴ１が設定され、一時停止中の入力データＤｉはバッファ４から読出されて出力部２に与えられる。
【００５４】
一方、時間Ｔ１を超えて一時停止が解除されてライブ再生に戻された場合には、一時停止中の入力データＤｉは既にバッファ４中には格納されておらず（新たな入力データＤｉで上書きされてしまい）ＨＤＤ１０に書込まれているので、ＡＶＳＷ３は切換えられて状態ＳＴ２が設定され、一時停止後に戻されたライブ再生のためのデータＤｉ（一時停止中のデータＤｉ）はＨＤＤ１０から読出されて出力部２に与えられる。
【００５５】
また、ライブ再生中に巻戻し操作がなされた場合も同様であり、時間Ｔ０で巻戻し操作した後に時間Ｔ０〜Ｔ１の間でライブ再生に戻された場合には、バッファ４中に巻戻し操作中のデータＤｉがまだ残っているのでＡＶＳＷ３は切換えられて状態ＳＴ１が設定され、バッファ４から巻戻し中の入力データＤｉが読出されて出力部２に与えられる。
【００５６】
一方、時間Ｔ０で巻戻し操作した後に時間Ｔ１以降にライブ再生に戻された場合は、バッファ４中は巻戻し操作中のＨＤＤ１０に書込まれているので、ＡＶＳＷ３は切換えられて状態ＳＴ２が設定されて、ＨＤＤ１０から巻戻し操作中のデータＤｉが読出されて出力部２に与えられる。
【００５７】
上述した再生すべきデータＤｉがバッファ４およびＨＤＤ１０のいずれから読出すべきかの判定はＣＰＵ１１によりなされて、ＣＰＵ１１は判定結果に従う指令をＡＶＳＷ３に出力してＡＶＳＷ３を切換え状態設定する。
【００５８】
次に、図２のフローチャートを参照しながら状態切換え動作を説明する。まず、装置が電源ＯＦＦされるとＡＶＳＷ３は切換えられて図３（Ａ）の状態ＳＴ０が設定される（ステップＳ（以下、単にＳと略す）１）。その後に電源ＯＮされると（Ｓ２）、ライブ再生またはタイムシフト機能の処理のために入力データＤｉはＡＶＳＷ３以降の各回路に与えられてバッファ４またはＨＤＤ１０に入力データＤｉが記録開始される（Ｓ３）。これまでは状態ＳＴ０のままであるから出力部２には入力部１から入力したデータＤｉがＡＶＳＷ３のみを介して与えられる。
【００５９】
その後、ＣＰＵ１１は現在が巻戻し操作後に戻されたライブ再生、または一時停止後に戻されたライブ再生でないか否か、すなわち現在の再生すべきデータＤｉに関して逐次入力されるデータＤｉと何らの時差の生じていない（Ｄｅｌａｙが０秒）か否かを判定する（Ｓ４）。時差を生じていない（Ｄｅｌａｙ＝０秒）と判定すると（Ｓ４でＹＥＳ）、ＣＰＵ１１はＡＶＳＷ３を切換えるので図３（Ｂ）の状態ＳＴ１が設定される（Ｓ５）。したがって、出力部２に与えられるデータはバッファ４に書込まれた直後に読出されたデータとなるから、ＨＤＤ１０から読出されたデータに比較し時間遅れも生じず、またＨＤＤ１０への記録／再生のための各回路を経由した信号損失もないから、良質の画像が再生出力される。その後、Ｓ４の処理に戻る。
【００６０】
一方、判定の結果、時差が生じていると判定した場合は（Ｓ４でＮＯ）、現在再生すべきデータＤｉが既にＨＤＤ１０に書込されているか、すなわち現在再生すべきデータＤｉはバッファ４に一時的に格納されている所定期間分（たとえば３秒分）を超えたデータであるか判定されて（Ｓ６）、所定期間分を超えていると判定されると（Ｓ６でＹＥＳ）、ＣＰＵ１１はＡＶＳＷ３を切換えて状態ＳＴ２が設定される（Ｓ７）。したがって、再生すべきデータＤｉはＨＤＤ１０から読出されて、後段の各回路により信号処理されてＡＶＳＷ３を介して出力部２に与えられる。その後Ｓ４の処理に戻る。
【００６１】
一方、所定時間分を超えていないと判定されると（Ｓ６でＮＯ）、再生すべきデータＤｉはバッファ４にまだ格納されているから（まだ新たな入力データＤｉにより上書きされていないから）ＣＰＵ１１はＡＶＳＷ３を切換えて、状態ＳＴ１が設定され、バッファ４から読出されたデータＤｉが出力部２に与えられる（Ｓ８）。その後にＳ４の処理に戻る。
【００６２】
このようにライブ再生を行なっている場合に、ＡＶＳＷ３を切換えて状態ＳＴ１が設定されることにより、ＨＤＤ１０を介さない映像情報による画像を、出力部２を介して提示できるから良好な画質を得ることが出きるとともに、入力データに対する出力データの時間遅れを防ぐことが可能になる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】この発明の実施の形態に係る映像記録再生装置の構成図である。
【図２】この発明の実施の形態に係る映像記録再生装置の動作のフローチャートである。
【図３】（Ａ）〜（Ｃ）はこの発明の実施の形態に係る映像記録再生装置における出力データ導出経路切換えのための状態を説明する図である。
【図４】（Ａ）〜（Ｆ）は本実施の形態に係るＡＶＳＷの切換を説明するタイミングチャートである。
【符号の説明】
１  入力部、２  出力部、３  ＡＶＳＷ、４，５  バッファ、６  Ａ／Ｄ変換回路、７  Ｄ／Ａ変換回路、８  エンコーダ、９  デコーダ、１０  ＨＤＤ、１１  ＣＰＵ、１４  リモコン。
【図１】
2004220638.tif 000003
【図２】
2004220638.tif 000004
【図３】
2004220638.tif 000005
【図４】
2004220638.tif 000006